(57)【特許請求の範囲】
【請求項１】
外部装置と非接触式又は接触式で通信を行うＩＣチップを備える非接触／接触両用ＩＣカードを保持する保持手段と、
非接触通信遮断命令を入力する非接触通信遮断命令入力手段と、
前記非接触通信遮断命令入力手段によって前記非接触通信遮断命令を入力した場合に、前記ＩＣチップ及び前記外部装置間における非接触式での通信を行うことが不可能な非接触通信不能環境へ切り替える非接触通信不能環境切替手段と、
前記ＩＣチップと接触方式で通信を行う接触通信手段と、
接触通信遮断命令を入力する接触通信遮断命令入力手段と、
前記接触通信遮断命令入力手段によって前記接触通信遮断命令を入力した場合に、前記接触通信手段及び前記ＩＣチップ間における接触方式での通信を行うことが不可能な接触通信不能環境へ切り替える接触通信不能環境切替手段と、
を備え、
前記非接触通信不能環境切替手段は、
前記非接触／接触両用ＩＣカードが有する第１の共振回路の共振周波数と共振する第２の共振回路と、
前記第２の共振回路中に設けられ、前記第２の共振回路の回路を開閉するスイッチと、
を有し、
前記非接触通信不能環境切替手段は、前記スイッチを閉じることにより、非接触式で通信を行うために前記外部装置から前記非接触／接触両用ＩＣカードへ送出される搬送波の周波数である搬送波周波数と共振する、前記第１の共振回路の共振周波数を前記搬送波周波数からずらすことによって非接触通信不能環境へ切り替える携帯可能な非接触／接触両用ＩＣカード通信制御装置。
【請求項２】
請求項１に記載の非接触／接触両用ＩＣカード通信制御装置において、
非接触通信遮断解除命令又は接触通信遮断解除命令を入力する通信遮断解除命令入力手段と、
前記通信遮断解除命令入力手段によって前記非接触通信遮断解除命令又は接触通信遮断解除命令が入力された場合に、前記非接触通信不能環境又は前記接触通信不能環境を非接触通信可能環境又は接触通信可能環境へ切り替える通信可能環境切替手段とを備えること、
を特徴とする非接触／接触両用ＩＣカード通信制御装置。
【請求項３】
請求項２に記載の非接触／接触両用ＩＣカード通信制御装置において、
前記通信遮断解除命令入力手段は、前記非接触通信遮断命令入力手段又は前記接触通信遮断命令入力手段による前記非接触通信遮断命令又は前記接触通信遮断命令の入力と連係して前記接触通信遮断解除命令又は前記非接触通信遮断解除命令を入力すること、
を特徴とする非接触／接触両用ＩＣカード通信制御装置。
【請求項４】
請求項１から請求項３までのいずれか１項に記載の非接触／接触両用ＩＣカード通信制御装置において、
前記非接触通信不能環境切替手段によって前記非接触通信不能環境へ切り替えられている場合に、前記外部装置から前記非接触／接触両用ＩＣカードへ送出される搬送波を検出する搬送波検出手段を備えること、
を特徴とする非接触／接触両用ＩＣカード通信制御装置。
【請求項５】
請求項４に記載の非接触／接触両用ＩＣカード通信制御装置において、
前記搬送波検出手段は、前記第２の共振回路に接続された素子であり、前記外部装置の搬送波によって前記第２の共振回路に誘起された電力を検出する電力検出部であること、
を特徴とする非接触／接触両用ＩＣカード通信制御装置。
【請求項６】
請求項４又は請求項５に記載の非接触／接触両用ＩＣカード通信制御装置において、
前記搬送波検出手段により前記搬送波が検出された場合に、その旨を通知する非接触通信通知手段を備えること、
を特徴とする非接触／接触両用ＩＣカード通信制御装置。
【請求項７】
無線接続された基地局を介して無線通信を行う携帯電話装置であって、
請求項１から請求項６までのいずれか１項に記載の非接触／接触両用ＩＣカード通信制御装置を備えること、
を特徴とする携帯電話装置。
【請求項８】
請求項７に記載の携帯電話装置において、
情報を画像、音声、及び／又は、振動で通知する表示部、音声出力部、及び／又は、振動発生部を備え、
前記非接触通信通知手段は、前記表示部、前記音声出力部、及び／又は、前記振動発生部を含むこと、
を特徴とする携帯電話装置。
【発明の詳細な説明】
【０００１】
【発明の属する技術分野】
本発明は、非接触式及び接触式の両方の通信手段を持つＩＣチップを搭載する非接触／接触両用ＩＣカードの通信を制御する、携帯可能な非接触／接触両用ＩＣカード通信制御装置及びこの非接触／接触両用ＩＣカード通信制御装置を備え、無線接続された基地局を介して無線通信を行う携帯電話装置に関するものである。
【０００２】
【従来の技術】
従来から、携帯電話、携帯情報端末（ＰＤＡ）等の携帯端末は、非接触／接触両用ＩＣカードの認証（身分証明を含む）、決済等の諸機能を利用するため、非接触／接触両用ＩＣカードを格納し、接触式で通信を行っている。非接触／接触両用ＩＣカードとは、電磁波を介して電力供給を受け、同様にデータを電送する非接触式と、伝導体によって形成される端子を介して電力の供給を受け、同様にデータを電送する接触式の両方の通信方式を兼ね備えたＩＣカードであって、携帯端末に装填され、接触式の通信によってその機能を利用されるＳＩＭカード等のカードを含む。
【０００３】
図５は、従来の非接触／接触両用ＩＣカードを示すブロック図である。
非接触／接触両用ＩＣカード２は、カード基材内にＩＣチップ２１、アンテナコイル２２等、カード基材表面の所定の位置に接触端子２３等が設けられている。アンテナコイル２２及び接触端子２３は、ＩＣチップ２１に接続されている。ＩＣチップ２１は、整流回路２１１、定電圧回路２１２、動作方式検知部２１３、復／変調回路２１４、揮発性メモリ２１５、ＲＯＭ２１６、不揮発性メモリ２１７、ＣＰＵ２１８等を備えている。ＣＰＵ２１８が揮発性メモリ２１５等の作業領域を利用してＲＯＭ２１６、不揮発性メモリ２１７等の記憶部に記憶されているプログラムを実行することによって、非接触式及び接触式の通信手段として機能する等、各部を制御する。
【０００４】
ＩＣチップ２１は、非接触通信手段によって、アンテナコイル２２を通じて図示しない外部装置であるリーダライタから送出される搬送波である交流電磁波を受信し、電磁誘導によって電力、クロックの供給を受け、情報送受信を行う。
また、ＩＣチップ２１は、接触式の通信手段によって、接触端子２３がリーダライタの接触端子と接触して接続されることによってリーダライタと閉回路を形成し、電力供給を受け、信号送受信を行う。
ＩＣチップ２１は、一方の通信方式で通信を行っている場合には、他方の通信方式での通信を遮断する。これは、例えば非接触式で通信を行っている場合に、接触端子２３に電圧、クロック等の変化が現れることによって復号の演算等、処理内容が外部に漏洩することを防止するためである。
整流回路２１１は、アンテナコイル２２で発生する交流電圧を直流に整流する。
定電圧回路２１２は、電磁波によって誘起された電力をＩＣチップ２１が必要とする一定の電圧に調整する。
【０００５】
動作方式検知部２１３は、ＩＣチップ２１が非接触式又は接触式のいずれかの方式で通信を行っているかをリーダライタから供給される電圧（ＶＣＣ）、クロック（ＣＬＫ）等から検出する。
復／変調回路２１４は、データ受信のための復調、送信のための変調を行う。揮発性メモリ２１５は、ＲＡＭ等の電源供給が絶たれると記憶している内容が消える記憶媒体である。
ＲＯＭ２１６は、不揮発性メモリの一種であり、ＣＰＵ２１８が実行するプログラムを格納している。
不揮発性メモリ２１７は、ＥＥＰＲＯＭ、ＦＲＡＭ等の電源供給が絶たれても記憶している内容が消えない記憶媒体である。
ＣＰＵ２１８は、中央演算装置であって、揮発性メモリ２１５、ＲＯＭ２１６、不揮発性メモリに２１７にある実行可能プログラムを実行する。
【０００６】
【発明が解決しようとする課題】
しかし、携帯電話は、電源が投入されている状態(通話可能状態)で、装填されている非接触／接触両用ＩＣカード２を接触式で常に活性化させ、電話所持者が気付かない間に頻繁にＩＣカード内の情報を更新している。
従って、携帯電話に装填した状態で非接触／接触両用ＩＣカード２をゲートシステムのリーダライタに翳しても非接触式の通信で非接触／接触両用ＩＣカード２を活性化できないため、認証機能が働かずにゲートを通過できないという問題があった。
【０００７】
また、ゲートシステムとの通信等、非接触／接触両用ＩＣカード２が非接触式で通信を行っている場合には、例えば、携帯電話に非接触／接触両用ＩＣカード２を装填しても接触式で通信を行うことができないため、電磁波が届かない場所に離れなければ自動決済機能を利用して電話をかける等、ＩＣカードの機能を接触式の通信によって利用することができないという問題があった。
一方、他人が非接触式の通信を利用して、非接触／接触両用ＩＣカード２に格納されている情報へのアクセスを試みた場合には、所持者は、その事実を知ることができず、他人の試行を無制限に許してしまうとともに、他人のアクセスを認識することができないという問題があった。
【０００８】
本発明の課題は、所持者の意思によって非接触／接触両用ＩＣカードの通信方式を選択することができ、盗聴防止等の防犯を図ることが可能な利便性の高い非接触／接触両用ＩＣカード制御装置及び携帯電話装置を提供することである。
【０００９】
【課題を解決するための手段】
本発明は、以下のような解決手段により、前記課題を解決する。なお、理解を容易にするために、本発明の実施形態に対応する符号を付して説明するが、これに限定されるものではない。
【００１０】
請求項１の発明は、外部装置（３）と非接触式又は接触式で通信を行うＩＣチップ（２１）を備える非接触／接触両用ＩＣカード（２）を保持する保持手段（１９）と、非接触通信遮断命令を入力する非接触通信遮断命令入力手段（１７）と、前記非接触通信遮断命令入力手段によって前記非接触通信遮断命令を入力した場合に、前記ＩＣチップ及び前記外部装置間における非接触式での通信を行うことが不可能な非接触通信不能環境へ切り替える非接触通信不能環境切替手段（１８，１５１）と、前記ＩＣチップと接触方式で通信を行う接触通信手段（１１）と、接触通信遮断命令を入力する接触通信遮断命令入力手段（１７）と、前記接触通信遮断命令入力手段によって前記接触通信遮断命令を入力した場合に、前記接触通信手段及び前記ＩＣチップ間における接触方式での通信を行うことが不可能な接触通信不能環境へ切り替える接触通信不能環境切替手段（１５２）と、を備え、前記非接触通信不能環境切替手段は、前記非接触／接触両用ＩＣカードが有する第１の共振回路（２０ｓ）の共振周波数と共振する第２の共振回路（１８ｓ）と、前記第２の共振回路中に設けられ、前記第２の共振回路の回路を開閉するスイッチと、を有し、前記非接触通信不能環境切替手段は、前記スイッチを閉じることにより、非接触式で通信を行うために前記外部装置から前記非接触／接触両用ＩＣカードへ送出される搬送波の周波数である搬送波周波数と共振する、前記第１の共振回路の共振周波数を前記搬送波周波数からずらすことによって非接触通信不能環境へ切り替える携帯可能な非接触／接触両用ＩＣカード通信制御装置（１）である。
【００１１】
請求項２の発明は、請求項１に記載の非接触／接触両用ＩＣカード通信制御装置において、非接触通信遮断解除命令又は接触通信遮断解除命令を入力する通信遮断解除命令入力手段（１７）と、前記通信遮断解除命令入力手段によって前記非接触通信遮断解除命令又は接触通信遮断解除命令が入力された場合に、前記非接触通信不能環境又は前記接触通信不能環境を非接触通信可能環境又は接触通信可能環境へ切り替える通信可能環境切替手段（１８，１５１、１５２）とを備えること、を特徴とする非接触／接触両用ＩＣカード通信制御装置（１）である。
【００１２】
請求項３の発明は、請求項２に記載の非接触／接触両用ＩＣカード通信制御装置において、前記通信遮断解除命令入力手段は、前記非接触通信遮断命令入力手段又は前記接触通信遮断命令入力手段による前記非接触通信遮断命令又は前記接触通信遮断命令の入力と連係して前記接触通信遮断解除命令又は前記非接触通信遮断解除命令を入力すること、を特徴とする非接触／接触両用ＩＣカード通信制御装置（１）である。
【００１６】
請求項４の発明は、請求項１から請求項３までのいずれか１項に記載の非接触／接触両用ＩＣカード通信制御装置において、前記非接触通信不能環境切替手段によって前記非接触通信不能環境へ切り替えられている場合に、前記外部装置から前記非接触／接触両用ＩＣカードへ送出される搬送波を検出する搬送波検出手段（１８３）を備えること、を特徴とする非接触／接触両用ＩＣカード通信制御装置（１）である。
【００１７】
請求項５の発明は、請求項４に記載の非接触／接触両用ＩＣカード通信制御装置において、前記搬送波検出手段は、前記第２の共振回路に接続された素子であり、前記外部装置の搬送波によって前記第２の共振回路に誘起された電力を検出する電力検出部（１８３）であること、を特徴とする非接触／接触両用ＩＣカード通信制御装置（１）である。
【００１８】
請求項６の発明は、請求項４又は請求項５に記載の非接触／接触両用ＩＣカード通信制御装置において、前記搬送波検出手段により前記搬送波が検出された場合に、その旨を通知する非接触通信通知手段（１２，１３，１４）を備えること、を特徴とする非接触／接触両用ＩＣカード通信制御装置（１）である。
【００１９】
請求項７の発明は、無線接続された基地局を介して無線通信を行う携帯電話装置であって、請求項１から請求項６までのいずれか１項に記載の非接触／接触両用ＩＣカード通信制御装置を備えること、を特徴とする携帯電話装置（１）である。
【００２０】
請求項８の発明は、請求項７に記載の携帯電話装置において、情報を画像、音声、及び／又は、振動で通知する表示部（１２）、音声出力部（１４）、及び／又は、振動発生部（１３）を備え、前記非接触通信通知手段は、前記表示部、前記音声出力部、及び／又は、前記振動発生部を含むこと、を特徴とする携帯電話装置（１）である。
【００２１】
【発明の実施の形態】
以下、図面等を参照しながら、本発明の実施の形態について、更に詳しく説明する。
（実施形態）
図１は、本発明による非接触／接触両用ＩＣカード制御装置及び携帯電話装置の実施形態を示すブロック図である。
図１に示すように、非接触／接触両用ＩＣカード制御装置である携帯電話１は、リーダライタ１１、表示部１２、振動発生部１３、音声発生部１４、ＣＰＵ等を含む制御部１５、記憶部１６、切替スイッチ１７、携帯側回路１８等を備え、無線接続された基地局を介して電波を利用した通信である無線通信を行う通信端末であって、折り畳んで携帯される。携帯電話１は、底面に備える格納部１９に非接触／接触両用ＩＣカード２を格納し（後述する図２参照）、接触式で通信を行うことによって非接触／接触両用ＩＣカード２の認証等の諸機能を利用する。
【００２２】
リーダライタ１１は、接触式で非接触／接触両用ＩＣカード２と通信を行い、情報読み取り、書き込みを行う。リーダライタ１１は、携帯電話１の格納部１９に接触端子を備え、格納部１９に装填された非接触／接触両用ＩＣカード２とこの接触端子を介して通信を行い、電力、クロックの供給、情報の送受信等を行う。
表示部１２、振動発生部１３及び音声発生部１４は、従来の携帯電話が備えるディスプレイ、バイブレータ及びスピーカー等で構築することができ、それぞれ電気信号を画像、振動、音声に変換して出力する。また、表示部１２、振動発生部１３及び音声発生部１４は、携帯側回路１８の電力検出部１８３が所定の電力を検出した場合に、その旨を画像、振動、音声によって通知する非接触通信通知手段である。
【００２３】
制御部１５は、リーダライタ１１、表示部１２、振動発生部１３、音声発生部１４記憶部１６、切替スイッチ１７、携帯側回路１８等が接続され、携帯電話１の情報処理を統括制御する。制御部１５は、非接触通信制御部１５１、接触通信制御部１５２等を備え、各部は、ＣＰＵがメモリ、ハードディスク等である記憶部１６に記憶されているプログラムを実行することによって、実現される。
【００２４】
非接触通信制御部１５１は、非接触通信遮断命令を入力した場合に、携帯側回路１８の回路スイッチ１８４を閉じる制御を行い、非接触／接触両用ＩＣカード２のＩＣチップ２１が外部装置であるリーダライタ（リーダライタ１１とは異なる。以下、このリーダライタを「外部リーダライタ」という。）と非接触式での通信をすることができない非接触通信不能環境へ切り替える。また、非接触通信制御部１５は、非接触通信遮断解除命令を入力した場合に、この回路スイッチ１８４を開ける制御を行うことによって、この非接触通信不能環境を解除する。非接触通信制御部１５１及び携帯側回路１８は、非接触通信不能環境切替手段及び非接触通信可能環境解除手段を構成する。
【００２５】
接触通信制御部１５２は、接触通信遮断命令を入力した場合に、リーダライタ１１から非接触／接触両用ＩＣカード２への接触式での電力供給を中止する制御を行い、リーダライタ１１がＩＣチップ２１と接触式での通信をすることができない接触通信不能環境を提供する接触通信環境切替手段である。また、接触通信制御部１５２は、接触通信遮断解除命令を入力した場合に、リーダライタ１１から非接触／接触両用ＩＣカード２への接触式での電力供給を再開し、接触通信不能環境を解除する接触通信不能環境解除手段である。
【００２６】
図２は、本発明による非接触／接触両用ＩＣカード制御装置及び携帯電話装置の実施形態を説明する概略図であって、図２（ａ）は携帯電話の斜視図、図２（ｂ）は切替スイッチの表面図、図２（ｃ）はＩＣ回路及び携帯側回路のアンテナコイルを示す透視図である。
図２（ａ）に示すように、格納部１９は、カバー１９１と、その内側に装着部１９２とを備え、カバー１９１を携帯電話１から取り外し、装着部１９２に非接触／接触両用ＩＣカード２を装填し、カバー１９１を被せてはめ込むことによって、その接触端子がリーダライタ１１の接触端子に接触するように保持する保持手段である。
【００２７】
図２（ｂ）に示すように、切替スイッチ１７は、携帯電話１の側面であって、所持者が携帯電話１を使用する場合に指が当たる位置に設けられている。切替スイッチ１７は、所持者が非接触／接触両用ＩＣカード２の通信方式を選択するために切り替えるスイッチであって、非接触遮断、ｏｆｆ及び接触遮断の３つのモードを備えている。切替スイッチ１７は、接触遮断モードが選択されることによって接触通信遮断命令を入力し、非接触遮断モードが選択されることによって非接触通信遮断命令を入力する通信遮断命令入力手段である。接触遮断モードでは、非接触／接触両用ＩＣカード２が接触式では通信を行うことができない接触式通信不能環境となり、逆に非接触遮断モードは、非接触式では通信を行うことができない非接触通信不能環境となる。ｏｆｆモードは、いずれか一方の通信を行うことが可能な従来の携帯電話と同様の状態となる。
【００２８】
また、切替スイッチ１７は、非接触遮断モードからｏｆｆ又は接触遮断モードに切り替えることによって、非接触通信遮断解除命令を入力する非接触通信遮断解除命令入力手段であって、接触遮断モードからｏｆｆ又は非接触遮断モードに切り替えることによって、接触通信遮断解除命令を入力する接触通信遮断解除命令入力手段である。
従って、切替スイッチ１７は、非接触遮断モード及び接触遮断モード間の相互の切り替えによって、通信遮断命令及び非接触通信遮断解除命令、又は、非接触遮断命令及び接触通信遮断解除命令を連係して入力する。
【００２９】
図３は、非接触／接触両用ＩＣカード、携帯電話が備える回路を説明する等価回路図であって、図３（ａ）は非接触／接触両用ＩＣカード２が備えるＩＣ回路２０、図３（ｂ）は携帯電話１が備える携帯側回路１８を示している。なお、ＩＣチップ２１は、抵抗、インダクタンス及びキャパシタンスの各成分を有しているが、説明を簡略化するため、図３において、抵抗Ｒのみとしてインダクタンス及びキャパシタンスを省略している。また、アンテナコイル２２，１８１及びコンデンサ２４，１８２も同様に、それぞれインダクタンスＬ及びキャパシタンスＣのみとしている。
図３（ａ）に示すように、ＩＣ回路２０は、ＩＣチップ２１、アンテナコイル２２、コンデンサ２４等を備え、抵抗Ｒ、インダクタンスＬ及びキャパシタンスＣを有する等価回路として表される。ＩＣ回路２０は、アンテナコイル２２及びコンデンサ２４が並列に接続された共振回路であるカード側共振回路２０ｓにＩＣチップ２１が接続されている。
【００３０】
カード側共振回路２０ｓは、外部リーダライタから送信された電磁波と共振するための回路であって、このカード側共振回路２０ｓの周波数ｆ1 は、電磁波の周波数ｆ0 と略同一となるように以下の式に基づいてアンテナコイル２２のインダクタンスＬ及びコンデンサ２４のキャパシタンスＣが調整されている。
ｆ1 ＝１／（２π√（ＬＣ））≒ｆ0 
この周波数ｆ1 が電磁波の周波数ｆ0 の一定誤差範囲内であれば、カード側共振回路２０ｓから誘導起電力がＩＣ回路２０に誘起され、ＩＣチップ２１が処理を行うために十分な電力が供給される。
【００３１】
図３（ｂ）に示すように、携帯電話１が備える携帯側回路１８は、アンテナコイル１８１、コンデンサ１８２及び電力検出部１８３、回路スイッチ１８４等を備え、抵抗Ｒ、インダクタンスＬ及びキャパシタンスＣを有する等価回路として表される。携帯側回路１８は、回路スイッチ１８４を介してアンテナコイル１８１及びコンデンサ１８２が並列に接続された共振回路である携帯側共振回路１８ｓに電力検出部１８３が接続されている。
【００３２】
携帯側共振回路１８ｓは、回路スイッチ１８４を閉じた場合に、外部リーダライタから送信された電磁波と共振するための回路であって、この携帯側共振回路２０ｓの周波数ｆ2 は、カード側共振回路２０ｓの周波数ｆ1 と同程度になるようにアンテナコイル１８１のインダクタンスＬ及びコンデンサ１８２のキャパシタンスＣが調整されている。また、携帯側共振回路１８ｓは、回路スイッチ１８４を閉じた場合に、外部リーダライタからの電磁波によって２つのアンテナコイル１８１，２２間に生じる相互インダクタンスによって共振周波数ｆ1 をｆ0 の一定誤差範囲からずらして、ＩＣチップ２１及び外部リーダライタ間の非接触での通信を妨げる。
回路スイッチ１８４は、制御部１５に接続され、非接触通信制御部１５１によって開閉が制御される。
【００３３】
電力検出部１８３は、携帯側回路２０に流れる電流を検出することによって、外部リーダライタから送信された電磁波によって誘起された電力を検出するとともに、前記非接触／接触両用ＩＣカードへ送出される搬送波である電磁波を検出する搬送波検出手段である。電力検出部１８３には、検流計を用いることができる。電力検出部１８３は、制御部１５に接続され、所定量以上の電流を検出した場合には、その旨の信号を制御部１５へ送信する。なお、電力検出部１８３が検出する下限の電流値及び電力検出部１８３の抵抗Ｒ２は、外部リーダライタからの電磁波によってＩＣ回路２０及び携帯側回路１８に同時にそれぞれ誘起される電力、ＩＣチップ２１が処理を行うために必要な起電力、ＩＣチップ２１の抵抗Ｒ１等を考慮して設定される。
【００３４】
図２（ｃ）に示すように、携帯側回路１８のアンテナコイル１８１は、携帯電話１の内部に非接触／接触両用ＩＣカード２が格納部１９に装填された状態で、外部リーダライタからの電磁波によって生じる相互インダクタンスが大きく、カード側共振回路２０ｓの共振周波数ｆ1 に効果的に影響を及ぼすように、その内面がアンテナコイル２２の内面に重複し、平行となる位置に設置されている。また、アンテナコイル１８１は、アンテナコイル２２との結合度が高まるように、アンテナコイル２２に近いほどよく、隣接することが望ましい。
【００３５】
更に、アンテナコイル１８１は、通信性能の観点から、携帯電話に従来から備えられている機能の妨げとならず、共振周波数ｆ2 の調整が困難にならない等の諸事情を考慮した最大限の大きさで設けられていることが望ましい。
なお、アンテナコイル１８１は、様々な制限を受けるＩＣ回路２０のアンテナコイル２２に比べて、非常に大きく設定することが可能である。従って、アンテナコイル１８１は、アンテナコイル２２と同じ外部リーダライタから電磁波を受けた場合であっても、より大きい誘導起電力を得られる等、アンテナコイル２２に比べ通信安定性が高い。
【００３６】
図４は、本発明による非接触／接触両用ＩＣカード通信制御装置及び携帯電話装置の使用方法を説明する図である。なお、グラデーションは、リーダライタ３１から送出された電磁波の強さを示している。
図４に示すように、携帯電話１の所持者は、非接触／接触両用ＩＣカード２を携帯電話１に装填したまま、非接触／接触両用ＩＣカード２の認証機能を利用してゲート開閉システム３のゲート３２を通過する等、非接触／接触両用ＩＣカード２の非接触式での通信によって機能を利用したい場合に切替スイッチ１７を接触遮断モードに切り替える。
また、所持者は、ゲート開閉システムのリーダライタ３１の電磁波が届く範囲内で非接触／接触両用ＩＣカード２の自動決済機能を使って電話をかける等、接触式での通信によって機能を利用したい場合には、非接触遮断モードに切り替える。
【００３７】
このように、本実施形態によれば、非接触／接触両用ＩＣカード２を装填した携帯電話１の切替スイッチ１７を切り替えることによって、所持者の意志によって接触式又は非接触式での通信方式を選択することができ、利便性を高めることが可能となった。
また、所持者は、切替スイッチ１７が非接触遮断モードになっている場合には、表示部１２、振動発生部１３、音声発生部１４等によって外部リーダライタがＩＣチップ２１にアクセスしようとしていることを認識することができ、盗聴防止等の防犯を図ることが可能となった。更に、所持者は、非接触／接触両用ＩＣカード２の外部リーダライタとの通信可能範囲を認識することができ、利便性を高めることが可能となった。
【００３８】
（変形形態）
以上説明した実施形態に限定されることなく、種々の変形や変更が可能であって、それらも本発明の均等の範囲内である。
例えば、携帯電話１は、非接触通信環境切替手段、接触通信環境切替手段として非接触通信制御部１５１、接触通信制御部１５２を備えているが、従来の携帯電話が備える通話遮断ボタン等の既存のスイッチにこの機能を持たせてもよい。
【００３９】
非接触／接触通信遮断命令入力手段及び通信遮断解除命令入力手段である切替スイッチ１７は、非接触遮断、ｏｆｆ及び接触遮断の３つのモードを備え、通信遮断命令及び非接触通信遮断解除命令、又は、非接触遮断命令及び接触通信遮断解除命令を連係して入力するが、非接触遮断及び接触遮断の２つのモードであってもよい。
また、接触遮断命令又は接触遮断解除命令を入力する接触遮断／解除命令入力手段である第１切替スイッチと、非接触遮断命令又は非接触遮断解除命令を入力する非接触遮断／解除命令入力手段である第２スイッチとに分かれ、独立して命令を入力してもよい。
【００４０】
携帯側共振回路１８ｓが備えるアンテナコイル１８１、コンデンサ１８２は、可変素子であって、携帯電話１の制御部１５によってその共振周波数が調整可能であってもよい。共振周波数ｆ2 をカード側共振回路２０ｓの共振周波数ｆ1 と精度よく共振させることによって効果的に非接触通信を妨げることが可能である。
【００４１】
携帯電話１は、非接触通信通知手段として、光によって搬送波が検出されたことを通知する通知ランプを備えていてもよい。
【００４２】
携帯電話１が備える電力検出部１８３は、検出する電力の感度を制御部１５によって調整可能であってもよい。効果的に非接触通信を妨げるとともに、所持者の利便性を高めることが可能である。
【００４３】
【発明の効果】
以上詳しく説明したように、本発明によれば、以下の効果を得ることが可能となった。
（１）非接触通信不能環境を提供する非接触式通信環境切替手段を備えるため、所持者の意志で非接触／接触両用ＩＣカードの接触式通信を可能とすることによって、所持者の利便性を高めること。
（２）接触通信不能環境を提供する接触式通信環境切替手段を備えるため、所持者の意志で非接触／接触両用ＩＣカードの非接触式通信を可能とすることによって、所持者の利便性を高めること。
（３）外部装置から非接触／接触両用ＩＣカードへ送出される搬送波を検出する搬送波検出手段を備えるため、搬送波に対する種々の措置を講じること。
（４）搬送波が検出された旨を通知する非接触通知手段を備えるため、所持者にその旨を通知することによって盗聴防止等の防犯を図ること、また、搬送波の届く範囲を通知することによって利便性を高めること。
【図面の簡単な説明】
【図１】本発明による非接触／接触両用ＩＣカード制御装置及び携帯電話装置の実施形態を示すブロック図である。
【図２】本発明による非接触／接触両用ＩＣカード制御装置及び携帯電話装置の実施形態を説明する概略図である。
【図３】非接触／接触両用ＩＣカード、携帯電話が備える回路を説明する等価回路図である。
【図４】本発明による非接触／接触両用ＩＣカード通信制御装置及び携帯電話装置の使用方法を説明する図である。
【図５】非接触／接触両用ＩＣカードを示すブロック図である。
【符号の説明】
１  携帯電話
２  非接触／接触両用ＩＣカード
３  ゲート開閉システム
１１  リーダライタ
１２  表示部
１３  振動発生部
１４  音声発生部
１５  制御部
１６  記憶部
１７  切替スイッチ
１８  携帯側回路
１９  格納部
２０  ＩＣ回路
２１  ＩＣチップ
１５１  非接触通信制御部
１５２  接触通信制御部
１８３  電力検出部
１８４  回路スイッチ
【図１】
0004022073.tif 000002
【図２】
0004022073.tif 000003
【図３】
0004022073.tif 000004
【図４】
0004022073.tif 000005
【図５】
0004022073.tif 000006